(57)【要約】【課題】砲弾状のＬＥＤ光源よりも照射角度の広い新規なパワーＬＥＤ光源素子を用いた回転灯において、回転灯として必要な視認性が確保された回転灯を提供する。【解決手段】回転灯１００は、基体１３と、基体１３に装着され、透光性を有するグローブ１２と、グローブ１２内に設けられ、光源として機能する第１発光ダイオード６０Ａと、第１発光ダイオード６０Ａと間隔を隔てて設けられ、光源として機能する第２発光ダイオード６０Ｂと、第１発光ダイオード６０Ａと第２発光ダイオード６０Ｂと間に回転可能に設けられ、第１発光ダイオード６０Ａと第２発光ダイオード６０Ｂからの光を一体の反射光として反射可能な反射鏡５とを備える。【選択図】図１
2008159380.tif 000002
【特許請求の範囲】
【請求項１】
基体と、
前記基体に装着され、透光性を有するグローブと、
前記グローブ内に設けられ、光源として機能する第１発光ダイオードと、
前記第１発光ダイオードと間隔を隔てて設けられ、光源として機能する第２発光ダイオードと、
前記第１発光ダイオードと前記第２発光ダイオードと間に回転可能に設けられ、前記第１発光ダイオードと前記第２発光ダイオードからの光を一体の反射光として反射可能な反射鏡と、
を備えた、回転灯。
【請求項２】
前記反射鏡は、前記第１発光ダイオードの後方から側方に延び、前記第１発光ダイオードの下方を経由して、さらに、前記第２発光ダイオードの後方および側方に延びる形状を有し、前記第１発光ダイオードおよび前記第２発光ダイオードの前方に向けて開口する、請求項１に記載の回転灯。
【請求項３】
前記反射鏡は、前記第１発光ダイオードからの光を平行に反射する放物面形状の第１反射面と、前記第２発光ダイオードからの光を平行に反射する放物面形状の第２反射面とを含む、請求項１または請求項２に記載の回転灯。
【請求項４】
前記第１反射面は、前記第１発光ダイオードからの光を第１平行光として反射する第３反射面と、前記第１発光ダイオードからの光を前記第１平行光と交差する方向に進行する第２平行光として反射する第４反射面とを含み、
前記第２反射面は、前記第２発光ダイオードからの光を前記第１平行光と平行に進行する第３平行光として反射する第５反射面と、前記第２発光ダイオードからの光を前記第３平行光と交差する方向に進行する第４平行光として反射する第６反射面とを含む、請求項１から請求項３のいずれかに記載の回転灯。
【請求項５】
前記第１発光ダイオードは、前記グローブの上壁に設けられ、前記第２発光ダイオードは、前記第１発光ダイオードに対して前記基体側に設けられた、請求項１から請求項４のいずれかに記載の回転灯。
【発明の詳細な説明】
【技術分野】
【０００１】
本発明は回転灯に関する。
【背景技術】
【０００２】
従来から光源として、たとえば、特開２００６−１５６０２６号公報に記載されているような白熱電球を用いた回転灯が広く用いられている。しかし、光源として白熱電球を用いた回転灯においては、短期に電球が切れるといった問題があり、また、消費電力も大きく維持管理に多くの手間がかかるものとなっていた。
【０００３】
そこで、近年、回転灯の光源として、砲弾状のＬＥＤ光源が用いられるようになっており、たとえば、特開２００２−１６３９０３号公報には、砲弾状のＬＥＤ光源を用いた回転灯が提案されている。この特開２００２−１６３９０３号公報に記載された回転灯は、円板状ホルダーの上下面に放射線状に複数の砲弾状のＬＥＤ発光素子が配列されて構成された光源と、この光源の周囲に設けられた反射器とを備えている。
【特許文献１】特開２００６−１５６０２６号公報
【特許文献２】特開２００２−１６３９０３号公報
【発明の開示】
【発明が解決しようとする課題】
【０００４】
しかし、特開２００２−１６３９０３号公報においては、光源として採用されている砲弾状のＬＥＤ発光素子は、放射角が小さく非常に指向性が高く、広い範囲に亘って反射光を放射することは困難なものとなっていた。特開２００３−１６３９０３号公報に記載された回転灯において、ＬＥＤ光源を環状に配置した光源から放射される光のうち、水平方向に放射される光は、反射ミラーによって反射される一方で、上下方向に放射される光は、反射ミラーによって反射されず、直接外方に放射される。このため、特開２００３−１６３９０３号公報に記載された回転灯においては、回転灯からの光が上下方向に拡散し、またＬＥＤ発光素子の光量が充分でなかったため、回転灯としての視認性を確保するのが困難なものとなっていた。
【０００５】
その一方で、光源として、砲弾状ＬＥＤ光源素子よりも光量の大きい新規なパワーＬＥＤ光源が開発されている。しかし、このような光量の大きい新規なパワーＬＥＤを、たとえば視野角を狭めて集光するような砲弾状のレンズを付けず、照射角度の広い状態の光源を複数用いて、反射ミラーによって周方向の一方向に集光させて回転灯の光源として利用し、回転灯の視認性を向上させたような回転灯は、全く従来においては提案もされておらず、さらに、示唆するような文献もない。
【０００６】
本発明は、上記のような課題に鑑みてなされたものであり、その目的は、砲弾状のＬＥＤ光源よりも照射角度の広い新規なパワーＬＥＤ光源素子を用いた回転灯において、回転灯として必要な視認性が確保された回転灯を提供することである。
【課題を解決するための手段】
【０００７】
本発明に係る回転灯は、基体と、基体に装着され、透光性を有するグローブと、グローブ内に設けられ、光源として機能する第１発光ダイオードと、第１発光ダイオードと間隔を隔てて設けられ、光源として機能する第２発光ダイオードと、第１発光ダイオードと第２発光ダイオードと間に回転可能に設けられ、第１発光ダイオードと第２発光ダイオードからの光を一体の反射光として反射可能な反射鏡とを備える。好ましくは、上記反射鏡は、第１発光ダイオードの後方から側方に延び、第１発光ダイオードの下方を経由して、さらに、第２発光ダイオードの後方および側方に延びる形状を有し、第１発光ダイオードおよび第２発光ダイオードの前方に向けて開口する。好ましくは、上記反射鏡は、第１発光ダイオードからの光を平行に反射する放物面形状の第１反射面と、第２発光ダイオードからの光を平行に反射する放物面形状の第２反射面とを含む。好ましくは、上記第１反射面は、第１発光ダイオードからの光を第１平行光として反射する第３反射面と、第１発光ダイオードからの光を第１平行光と交差する方向に進行する第２平行光として反射する第４反射面とを含む。そして、上記第２反射面は、第２発光ダイオードからの光を第１平行光と平行に進行する第３平行光として反射する第５反射面と、第２発光ダイオードからの光を第３平行光と交差する方向に進行する第４平行光として反射する第６反射面とを含む。好ましくは、上記第１発光ダイオードは、グローブの上壁に設けられ、第２発光ダイオードは、第１発光ダイオードに対して基体側に設けられる。
【発明の効果】
【０００８】
本発明に係る回転灯によれば、第１および第２発光ダイオードからの光を反射鏡は、一体の反射光として反射するため、遠方においても、回転灯からの光を確認することができ、回転灯として必要な視認性を確保することができる。さらに、第１および第２発光ダイオードからの光のうち直接外方に放射される光は、放射状に拡散され、反射鏡の正面以外の領域からでも、回転灯からの光を確認することができ、広い範囲での視認性を得ることができる。
【発明を実施するための最良の形態】
【０００９】
本発明の実施の形態について図１から図８を用いて説明する。なお、同一または相当する構成については、同一の符号を付してその説明を省略する場合がある。
【００１０】
（実施の形態１）
図１から図３を用いて、本実施の形態１に係る回転灯１００について説明する。図１は、本実施の形態１に係る回転灯１００の側断面図であり、図２は、回転灯１００の正面図である。図１に示されるように、回転灯１００は、基体１３と、基体１３に装着され、透光性を有するグローブ１２と、グローブ１２内に設けられ、光源として機能するパワーＬＥＤ（Light Emitting Diode）（第１発光ダイオード）６０Ａと、このパワーＬＥＤ６０Ａと間隔を隔てて設けられたパワーＬＥＤ（第２発光ダイオード）６０Ｂとを備えている。さらに、回転灯１００は、パワーＬＥＤ６０Ａと、パワーＬＥＤ６０Ｂとの間に設けられ、パワーＬＥＤ６０Ａ、６０Ｂからの光を一体の反射光として反射する反射鏡５をさらに備えている。
【００１１】
ここで、反射鏡５は、パワーＬＥＤ６０Ａ、６０Ｂからの光を一体の反射光として反射するため、回転灯１００の観察者は、パワーＬＥＤ６０ＡおよびパワーＬＥＤ６０ＡＢの反射光を同時に観察する。このように、反射鏡５からの反射光の光量は高く、回転灯１００は、回転灯として必要な視認性を確保することができる。
【００１２】
反射鏡５は、パワーＬＥＤ６０Ａの後方から側方に延び、パワーＬＥＤ６０Ａの下方を経由する曲面部５Ａと、この曲面部５Ａの下端部に連設され、この曲面部５Ａの下端部からパワーＬＥＤ６０Ｂの後方および側方に延びる曲面部５Ｂとを備えている。そして、曲面部５Ａと曲面部５Ｂとは、いずれも、パワーＬＥＤ６０Ａ，６０Ｂの前方側が開口するような形状とされている。
【００１３】
このように、２つの放物面形状の曲面部５Ａ，５Ｂを互いに先端部側で連設することにより、反射鏡５の反射面の高さと反射面積を確保しつつ、反射鏡５の奥行き方向および水平方向の幅を小さくすることができ、反射鏡５のコンパクト化を図ることができる。このため、回転灯１００自体のコンパクト化をも図ることができる。そして、曲面部５Ａの反射面６Ａと曲面部５Ｂの反射面６Ｂとによって反射されたパワーＬＥＤ６０Ａ、６０Ｂからの光を、曲面部５Ａ，５Ｂの開口部から同一の方向に向けて反射することができる。
【００１４】
曲面部５Ａの反射面６Ａと、曲面部５Ｂの反射面６Ｂとは、いずれも、放物面形状とされている。すなわち、反射面６Ａ，６Ｂは、グローブ１２の上壁部１２Ａから基体１３に向かう第１方向（鉛直方向）に向かうにしたがって、放物線状に湾曲している。さらに、第１方向と直行し、図１の紙面に対して垂直な第２方向（水平方向）に向かうにしたがって放物線状に湾曲している。
【００１５】
そして、パワーＬＥＤ６０Ａは、反射面６Ａの焦点Ｏ１に設けられており、パワーＬＥＤ６０Ｂは、反射面６Ｂの焦点Ｏ２に設けられている。
【００１６】
このため、反射面６Ａによって反射されたパワーＬＥＤ６０Ａの反射光Ｌ１は、第２方向（水平方向）に向けて平行に反射される。また、反射面６Ｂによって反射されたパワーＬＥＤ６０Ｂの反射光Ｌ２は、第２方向（水平方向）に向けて平行に反射される。
【００１７】
このため、反射光Ｌ１、Ｌ２は、遠方にまで拡散せずに届き、回転灯１００は、遠方における視認性を確保することができる。
【００１８】
図１において、各反射面６Ａ、６Ｂの鉛直方向の断面において、各反射面６Ａ，６Ｂの放物線形状の断面の準線Ｒ１，Ｒ２は互い平行または一致している。このため、反射光Ｌ１および反射光Ｌ２とは、同一方向に向けて放射され、かつ、鉛直方向の拡散が抑制された平行光として放射される。
【００１９】
図３は、一部を透明視した回転灯１００の平面図である。この図２および図３に示すように、反射面６Ａ，６Ｂの水平方向の断面における放物線において、各放物線の準線Ｓ１，Ｓ２は、いずれも平行となっている。そして、反射光Ｌ１、Ｌ２は、いずれも、同一方向に放射されると共に、水平方向に拡散することなく、放射される。
【００２０】
すなわち、図１において、反射面６Ａと反射面６Ｂとは、反射面６Ａの軸線Ｐ１と、反射面６Ｂの軸線Ｐ２とが互いに平行となるように配置されている。ここで、軸線Ｐ１は、反射面６Ａの焦点Ｏ１と、反射面６Ａの放物面の頂点とを通る直線であり、軸線Ｐ２は、反射面６Ｂの焦点Ｏ２と反射面６Ｂの放物面の頂点とを通る直線である。そして、本実施の形態１においては、反射面６Ａ，６Ｂとは、図２に示す曲面部５Ａと曲面部５Ｂとの境界部３０を中心に対称な形状とされており、反射光Ｌ１、Ｌ２を一体として同一方向に平行光として反射することができる。
【００２１】
ここで、１つの反射面によって複数の光源からの光を反射しようとしても、各光源を反射面の焦点に正確に配置することができず、遠方にて反射光が拡散してしまう一方で、本実施の形態に示すように複数の反射面に対して、各反射面の焦点位置に光源を配置することで、正確な平行光として反射することができる。これにより、遠方における回転灯の視認性を確保することができる。
【００２２】
図１において、パワーＬＥＤ６０Ａ，６０Ｂの光の放射角度θは、１７０度程度とされており、反射面６Ａ、６Ｂの基部３１、３２から境界部３０までの全面に亘って放射される。ここで、焦点Ｏ１と基部３１とを通る線分Ｔ３と、焦点Ｏ１と境界部３０とを通る線分Ｔ２との交差角度をθ４とする。また、焦点Ｏ２と基部３２とを通る線分Ｔ４と、焦点Ｏ２と境界部３０とを通る線分Ｔ１との交差角度をθ５とする。そして、パワーＬＥＤ６０Ａの光の放射角度θは、交差角度θ４よりも大きく、パワーＬＥＤ６０Ｂの光の放射角度θは、交差角度θ５よりも大きくなっており、上記のように、反射面６Ａ，６Ｂの略全面にパワーＬＥＤ６０Ａ、６０Ｂからの光が放射される。
【００２３】
また、パワーＬＥＤ６０Ｂ，６０Ａからの光の少なくとも一部は、直接回転灯１００の外部に向けて放射状に放射される。このため、反射面６Ａ，６Ｂの正面から外れた位置においても、回転灯１００からの光を観察者は確認することができる。そして、反射面６Ａ，６Ｂに対して、反射光Ｌ１、Ｌ２の進行方向前方側に位置する領域から軸部３の軸方向に退避した位置にパワーＬＥＤ６０Ａ，６０Ｂを設けることで、パワーＬＥＤ６０Ａ，６０Ｂが反射光の進行を阻害することを抑制することができる。なお、軸部３の軸線方向と準線Ｒ１、Ｒ２とは平行とされている。
【００２４】
図１において、回転灯１００は、各パワーＬＥＤ６０Ｂ，６０Ａから生じる熱を放熱する放熱機構６２、６３をさらに備えている。放熱機構６２は、下面側にパワーＬＥＤ６０Ａが接着された放熱板８０と、この放熱板８０をグローブ１２の上壁部１２Ａに固定する固定部８１とを備えている。放熱板８０は、たとえば、アルミ、銅などの金属材料から構成されており、グローブ１２の上壁部１２Ａを略覆う程度の大きさとなっている。
【００２５】
そして、パワーＬＥＤ６０Ａで発熱した熱は、放熱板８０によって放熱され、パワーＬＥＤ６０Ａの温度上昇が抑制され、パワーＬＥＤ６０Ａの発光効率が悪くなるなどの弊害の発生を抑制することができる。
【００２６】
放熱機構６３は、上面側にパワーＬＥＤ６０Ｂが接着された放熱板７と、先端部に放熱板７が固定された軸部３と、この軸部３の下端部に固定された平板状のシャーシ４とを備えている。
【００２７】
これら放熱板７、軸部３およびシャーシ４は、たとえば、アルミや銅などの金属材料から構成されており、パワーＬＥＤ６０Ｂからの熱が良好に伝熱される。そして、放熱板７、軸部３およびシャーシ４から良好に放熱される。なお、シャーシ４は、基体１３の断面積と略一致しており、良好に放熱することができる。
【００２８】
なお、本実施の形態においては、上記のように、回転灯１００内にパワーＬＥＤ６０Ａ，６０Ｂからの熱が放熱されるようになっているが、これに限られない。
【００２９】
たとえば、放熱板８０をグローブ１２の上壁部１２Ａにはめ込むと共に、放熱板８０の上面を回転灯１００の外方に露出させてもよい。これにより、パワーＬＥＤ６０Ｂの熱を回転灯１００の外部に放熱することができ、回転灯１００内の温度が上昇することを抑制することができる。
【００３０】
放熱板８０の一部を外部に露出させることにより、外部の空気によって放熱板８０を冷却することができる。さらに、放熱機構６３においては、軸部３をさらに、下方に伸ばして、基体１３に直接接続させてもよい。これにより、軸部３に伝えられた熱を基体１３から外部に放熱することができる。すなわち、基体１３を放熱器としても機能させることにより、パワーＬＥＤ６０Ａの温度上昇を抑制すると共に、回転灯１００内の温度上昇を抑制することができる。なお、基体１３は、金属ダイカストや樹脂内に金属材料が分散した複合材料などから構成する。
【００３１】
このように、パワーＬＥＤ６０Ｂ，６０Ａの温度上昇を抑制することができるので、温度上昇に伴うパワーＬＥＤ６０Ｂ，６０Ａの光量の低減を抑制することができ、回転灯として必要な視認性を得るための光量を確保することができる。
【００３２】
たとえば、上壁部１２Ａに放熱板８０をはめ込み、外部に放熱板８０の一部を露出させた場合においては、パワーＬＥＤ６０Ａを良好に冷却することができるので、パワーＬＥＤ６０Ｂよりも出力の大きいパワーＬＥＤを用いることができる場合がある。
【００３３】
反射鏡５は、駆動機構７５によって軸部３を中心に回転可能に設けられている。駆動機構７５は、軸部３に回転自在に設けれた回転部材８と、この回転部材８の周面に形成され、図３に示すギア部４１と、このギア部４１に対応するウォームギア４０と、このウォームギア４０を回転するモータ（駆動源）１１とを備えている。
【００３４】
そして、モータ１１が回転すると、ウォームギア４０が図１に示す回転部材８を軸部
３を中心に回転させ、これにより、反射鏡５も軸部３を中心に回転する。
【００３５】
ここで、パワーＬＥＤ６０Ａ，６０Ｂは、軸部３の軸線上に配置されている。そして、反射面６Ａ、６Ｂの焦点Ｏ１、Ｏ２も軸部３の軸線上に配列されている。このため、反射鏡５が軸部３を中心に回転しても、焦点Ｏ１、Ｏ２は変位せず、一定の位置に固定されており、この焦点Ｏ１，Ｏ２にパワーＬＥＤ６０Ａ，６０Ｂがそれぞれ配置されているので、反射鏡５が回転しても、反射面６Ａ，６Ｂからの反射光Ｌ１、Ｌ２がゆれることもなく、良好に水平方向に放射される。
【００３６】
（実施の形態２）
図４から図８を用いて、本実施の形態２に係る回転灯２００について説明する。図４は、本実施の形態２に係る回転灯２００の側断面図である。この図２に示されるように、回転灯２００は、複数の湾曲部５Ｃ〜５Ｆを有する反射鏡５を備えている。
【００３７】
図５は、反射鏡５を拡大した断面図であり、図６は、反射鏡５の正面図である。さらに、図７は、本実施の形態２に係る回転灯２００の平面図である。図５に示されるように、反射鏡５は、パワーＬＥＤ６０Ａを覆うように設けられた曲面部５Ａと、パワーＬＥＤ６０Ｂを覆うように設けられた曲面部５Ｂとを備えている。
【００３８】
曲面部５Ｂは、パワーＬＥＤ６０Ｂ側の端部に設けられた湾曲部５Ｄと、この湾曲部５Ｄの上端部に設けられた湾曲部５Ｆとを備えている。また、曲面部５Ａは、パワーＬＥＤ６０Ａ側に設けられた湾曲部５Ｃと、湾曲部５Ｃの端部に設けられた湾曲部５Ｅとを備えている。そして、湾曲部５Ｅの端部と湾曲部５Ｆの端部とが連設されており、曲面部５Ａと曲面部５Ｂとが一体に接続されている。
【００３９】
そして、これら湾曲部５Ｃ〜５Ｆの反射面６Ｃ〜６Ｆは、いずれも放物面形状とされている。
【００４０】
ここで、反射面６Ｅの軸線Ｐ１と反射面６Ｆの軸線Ｐ２とは、水平方向に平行に延びている。また、反射面６Ｃの軸線Ｐ３は、反射面６Ｅ，６Ｆの反射光Ｌ１，Ｌ２の進行方向に向かうにしたがって、軸線Ｐ１、Ｐ２に対して下方に向けて傾斜している。
【００４１】
一方、反射面６Ｄの軸線Ｐ４は、軸線Ｐ１，Ｐ２に対して、反射面６Ｅ，６Ｆの反射光Ｌ１，Ｌ２の進行方向に向かうにしたがって、上方に向けて傾斜している。なお、軸線とは、各反射面６Ｃ〜６Ｆの焦点を通り、各反射面６Ｃ〜６Ｆの放物面の頂点とを通る直線を意味する。
【００４２】
すなわち、反射面６Ｃ〜６Ｆを垂直方向に断面視したときにおいて、反射面６Ｅと反射面６Ｆとの鉛直方向に延びる準線Ｒ１，Ｒ２は互いに一致または平行に延びている。そして、反射面６Ｃ、６Ｄの準線Ｒ３、Ｒ４は、準線Ｒ１，Ｒ２と交差している。
【００４３】
ここで、反射面６Ｅの焦点Ｏ１と反射面６Ｃの焦点Ｏ３とは一致しており、この焦点Ｏ１，Ｏ３の位置にパワーＬＥＤ６０が配置されている。そして、反射面６Ｆの焦点Ｏ２と、反射面６Ｄの焦点Ｏ４とは、一致しており、この焦点Ｏ２、Ｏ４にパワーＬＥＤ６０Ｂが位置している。このため、パワーＬＥＤ６０Ａからの光のうち、反射鏡５によって反射される反射光Ｌ１、Ｌ３は、平行光となり、さらに、パワーＬＥＤ６０Ｂからの光のうち、反射鏡５によって反射される反射光Ｌ２，Ｌ４も、平行光として反射される。
【００４４】
具体的には、反射面６ＥによってパワーＬＥＤ６０Ａからの光が反射されると、水平方向に進行する反射光Ｌ１となり、反射面６Ｃによって反射された反射光Ｌ３は、反射光Ｌ１よりも下方に向かう反射光Ｌ３となる。また、反射面６ＦによってパワーＬＥＤ６０Ｂからの光が反射されると、水平方向に進行する反射光Ｌ２となり、反射面６Ｄによって反射された反射光Ｌ４は、反射光Ｌ２よりも上方に向かう反射光Ｌ４となる。
【００４５】
特に、反射光Ｌ１と反射光Ｌ２とは、同一方向に向けて進行すると共に、反射面６Ｅと反射面６Ｆとは、互いに連設されているため、一体の反射光となる。このため、遠方においても、反射光Ｌ１、Ｌ２とを視認することができる。さらに、反射鏡５の正面に対して、上方また下方の位置においても、反射光Ｌ３または反射光Ｌ４を確認することができ、さらに、各反射光Ｌ３、Ｌ４は、平行光とされているので、遠方においても反射光Ｌ３，Ｌ４を確認することができる。なお、焦点Ｏ１〜Ｏ４は、軸部３の軸線上に位置している。
【００４６】
図６に示すように、水平方向に延びる各反射面６Ｃ〜６Ｆの準線Ｓ１〜Ｓ４は、それぞれ平行に延びている。このため、図７に示すように、回転灯２００を平面視した際に、反射光Ｌ１〜Ｌ４は、水平方向には拡散しておらず、同一方向に向けて進行する。
【００４７】
さらに、図５において、観察者は、パワーＬＥＤ６０Ａ，６０Ｂから放射される光のうち、反射鏡５に向かわずに、直接外方に向かう光をも確認することができる。
【００４８】
このように、本実施の形態２に係る回転灯２００によれば、反射鏡５からの反射光は、多方向に向けて平行光が放射されるため、回転灯２００の視認性を向上させることができると共に、パワーＬＥＤ６０Ａ，６０Ｂの直接光によっても視認性の向上が図られている。
【００４９】
なお、図７に示されるように、湾曲部５Ｃと湾曲部５Ｄとは、同一の形状とされており、さらに、湾曲部５Ｅと湾曲部５Ｆとは、同一の形状とされている。
【００５０】
図８は、本実施の形態２に係る回転灯２００の内部構造を示す斜視図である。この図８に示されるように、回転灯２００も、上記実施の形態１に係る回転灯２００と同様に、放熱機構およびモータ１１等が設けられている。
【００５１】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【００５２】
本発明は、回転灯に好適である。
【図面の簡単な説明】
【００５３】
【図１】本実施の形態１に係る回転灯の側断面図である。
【図２】回転灯の正面図である。
【図３】一部を透明視した回転灯の平面図である。
【図４】本実施の形態２に係る回転灯の側断面図である。
【図５】反射鏡を拡大した断面図である。
【図６】反射鏡の正面図である。
【図７】本実施の形態２に係る回転灯の平面図である。
【図８】本実施の形態２に係る回転灯の内部構造を示す斜視図である。
【符号の説明】
【００５４】
３  軸部、４  シャーシ、５  反射鏡、５Ａ，５Ｂ  曲面部  ６Ａ，６Ｂ，６Ｃ，６Ｄ，６Ｆ  反射面、６０Ａ，６０Ｂ  パワーＬＥＤ、６２，６３  放熱機構、１００  回転灯、Ｏ１，Ｏ２  焦点。
【図１】
2008159380.tif 000003
【図２】
2008159380.tif 000004
【図３】
2008159380.tif 000005
【図４】
2008159380.tif 000006
【図５】
2008159380.tif 000007
【図６】
2008159380.tif 000008
【図７】
2008159380.tif 000009
【図８】
2008159380.tif 000010